(57)【要約】【課題】  各種の厚みや形状を有するディスプレイに対しても、カーテンロールを簡単に取り付けることができるようにしたディスプレイ用カーテンを提供する。【解決手段】  クランプ部と１２ａ、１２ｂにより、ディスプレイ２の表示面３をカーテンロール１をディスプレイ２の上縁に固定する。クランプ部１２ａ、１２ｂは、アーム部２１の一端に回動自在に取り付けられ、その中心から左右に所定の距離だけ離れた位置に接触部を有するＵ字状挟持部材２２と、アーム部２１の他端に回動自在に取り付けられ、固定ネジ２４が螺合されたブロック状挟持部材２３とから構成し、Ｕ字状挟持部材２２とブロック状挟持部材２３との間で、ディスプレイ２の上縁を挟持し、固定ネジ２４を締め付けて、ディスプレイ２にカーテンロール１を固定する。【選択図】        図１
0003123342.tif 000002
【実用新案登録請求の範囲】
【請求項１】
ディスプレイの表示面を覆うカーテン部材が巻装されるカーテンロールと、
前記カーテンロールを前記ディスプレイの上縁に固定するクランプ部とからなり、
前記クランプ部は、
アーム部と、
前記アーム部の一端に回動自在に取り付けられ、その中心から左右に所定の距離だけ離れた位置に接触部を有する第１の挟持用部材と、
前記アーム部の他端に回動自在に取り付けられ、固定ネジが螺合された第２の挟持用部材とを有し、
前記第１の挟持用部材と前記第２の挟持用部材との間で、前記ディスプレイの上縁を挟持し、前記固定ネジを締め付けて、前記ディスプレイに前記カーテンロールを固定する
ようにしたことを特徴とするディスプレイ用カーテン。
【請求項２】
前記第１の挟持部材は、Ｕ字形の挟持部材であることを特徴とする請求項１に記載のディスプレイ用カーテン。
【請求項３】
前記第１の挟持用部材に、ラバー部材を設けるようにしたことを特徴とする請求項１に記載のディスプレイ用カーテン。
【請求項４】
前記固定ネジの先端に、ラバー部材を設けるようにしたことを特徴とする請求項１に記載のディスプレイ用カーテン。
【請求項５】
前記アーム部の長さを、各種のディスプレイの厚みよりも長くするようにしたことを特徴とする請求項１に記載のディスプレイ用カーテン。
【請求項６】
前記クランプ部を前記カーテンロールに２個設けるようにしたことを特徴とする請求項１に記載のディスプレイ用カーテン。
【考案の詳細な説明】
【技術分野】
【０００１】
本考案は、パーソナルコンピュータのディスプレイの汚れや、埃の浸入を防ぐようにしたディスプレイ用カーテンに関する。
【背景技術】
【０００２】
パーソナルコンピュータを使っていないときに、ディスプレイをそのまま放置しておくと、ディスプレイの表示面に埃が被り、汚れが付着する。そこで、ディスプレイを覆って、汚れや埃の浸入を防止するようにしたディスプレイカバーが販売されている。この種の従来のディスプレイカバーは、例えば特許文献１に示されるように、袋状になっており、ディスプレイ全体を包み込んで装着するようになっている。
【０００３】
しかしながら、このような袋状のディスプレイカバーでは、カバーを広げてディスプレイに装着する必要があり、ディスプレイへの装着が大変である。また、パーソナルコンピュータ使用時に、ディスプレイカバーを外す必要があり、外したカバーの置き場に困る。
【０００４】
そこで、カーテン部材が巻装されたカーテンロールをディスプレイの上縁に固定し、パーソナルコンピュータを使用しない時には、カーテンロールからカーテン部材を引き出して、ディスプレイの表示面をカーテン部材により覆って、ディスプレイの表示面の汚れや、埃の浸入を防ぐことが考えられる。
【特許文献１】特許公開２００１−２４２９６１
【考案の開示】
【考案が解決しようとする課題】
【０００５】
このように、カーテンロールに収納されたカーテン部材でディスプレイの表示面を保護するためには、カーテン部材が巻装されたカーテンロールをディスプレイの上縁に固定する必要がある。
【０００６】
ところが、市販されているディスプレイには、様々な厚みや形状のものがあり、どのような厚みや形状を有するディスプレイに対して、カーテンロールを簡単に取り付けられるようにすることは困難である。
【０００７】
本考案は、上述の課題を鑑み、各種の厚みや形状を有するディスプレイに対して、カーテンロールを簡単に取り付けることができるようにしたディスプレイ用カーテンを提供することを目的とする。
【課題を解決するための手段】
【０００８】
本考案は、ディスプレイの表示面を覆うカーテン部材が巻装されるカーテンロールと、カーテンロールをディスプレイの上縁に固定するクランプ部とからなり、クランプ部は、アーム部と、アーム部の一端に回動自在に取り付けられ、その中心から左右に所定の距離だけ離れた位置に接触部を有する第１の挟持用部材と、アーム部の他端に回動自在に取り付けられ、固定ネジが螺合された第２の挟持用部材とを有し、第１の挟持用部材と第２の挟持用部材との間で、ディスプレイの上縁を挟持し、固定ネジを締め付けて、ディスプレイにカーテンロールを固定するようにしたことを特徴とするディスプレイ用カーテンである。
【０００９】
好ましくは、第１の挟持部材は、Ｕ字形の挟持部材であることを特徴とする。
【００１０】
好ましくは、第１の挟持用部材に、ラバー部材を設けるようにしたことを特徴とする。
【００１１】
好ましくは、固定ネジの先端に、ラバー部材を設けるようにしたことを特徴とする。
【００１２】
好ましくは、アーム部の長さを、各種のディスプレイの厚みよりも長くするようにしたことを特徴とする。
【００１３】
好ましくは、クランプ部をカーテンロールに２個設けるようにしたことを特徴とする。
【考案の効果】
【００１４】
本考案によれば、ディスプレイの表示面を覆うカーテン部材が巻装されるカーテンロールと、カーテンロールをディスプレイの上縁に固定するクランプ部とからなり、クランプ部は、アーム部と、アーム部の一端に回動自在に取り付けられ、その中心から左右に所定の距離だけ離れた位置に接触部を有する第１の挟持用部材と、アーム部の他端に回動自在に取り付けられ、固定ネジが螺合された第２の挟持用部材とを有し、第１の挟持用部材と第２の挟持用部材との間で、ディスプレイの上縁を挟持し、固定ネジを締め付けて、ディスプレイにカーテンロールを固定するようにしている。このように、第１の挟持部材及び第２の挟持部材がアーム部の一端及び他端に回動自在に取り付けられているので、アーム部の角度を変えることで、様々な厚みのディスプレイでも固定することができる。また、第２の挟持部材は、その中心から左右に所定の距離だけ離れた位置に接触部を有しているため、アーム部が斜めになったときにも、第２の挟持部の一方の接触部と、固定ネジとが正対するため、ディスプレイにカーテンロールを確実に固定できる。また、ディスプレイの上縁の裏側には、固定ネジが点接触するため、ディスプレイ２の裏側の形状が曲面であっても、ディスプレイにカーテンロールを確実に固定することができる。
【００１５】
また、本考案では、第１の挟持部材は、Ｕ字形の挟持部材であるので、どのような厚みや形状を有するディスプレイに対してでも、カーテンロールを簡単に取り付けることができる。
【００１６】
また、本考案では、第１の挟持用部材に、ラバー部材を設けるようにしているので、滑り止めになると共に、ディスプレイに傷を付けることがない。
【００１７】
また、本考案では、アーム部の長さを、各種のディスプレイの厚みよりも長くしているので、様々な厚みのディスプレイに対応できる。
【００１８】
また、本考案では、クランプ部をカーテンロールに２個設けるようにしているので、ディスプレイの上縁の左右から、カーテンロールを確実に固定できる。
【考案を実施するための最良の形態】
【００１９】
以下、本考案の実施の形態について図面を参照しながら説明する。図１は、本考案の第１実施形態を示すものである。図１において、１はカーテンロールである。カーテンロール１には、カーテン部材１１が巻回されている。カーテンロール１の左右には、２個のクランプ部１２ａ及び１２ｂが取り付けられる。こられクランプ部１２ａ及び１２ｂにより、ディスプレイ２の上縁にカーテンロール１が固定される。
【００２０】
パーソナルコンピュータを使っている時には、図１（Ａ）に示すように、カーテンロール１内にカーテン部材１１が巻回されて収納される。パーソナルコンピュータを使わない時には、図１（Ｂ）に示すように、カーテンロール１からカーテン部材１１が引き出され、ディスプレイ２の表示面３がカーテン部材１１により覆われる。これにより、ディスプレイ２の表示面３の汚れや、埃の浸入を防ぐことができる。
【００２１】
図２は、クランプ部１２ａ及び１２ｂの構成を示し、図３は、その分解斜視図を示すものである。図２に示すように、クランプ部１２ａ及び１２ｂは、アーム部２１と、Ｕ字状挟持部材（第１の挟持部）２２と、ブロック状挟持部材（第２の挟持部）２３と、固定ネジ２４とから構成される。
【００２２】
図３に示すように、アーム部２１の一端に孔２５が穿設され、アーム部２１の他端に孔２６が形成される。
【００２３】
Ｕ字状挟持部材２２の中心には、軸挿入口２７が設けられる。Ｕ字状挟持部材２２の両端が接触部２２ａ及び２２ｂとなり、接触部２２ａ及び２２ｂには、滑り止め及び傷止めのために、ラバー部材２９ａ、２９ｂが取り付けられる。アーム部２１の一端の孔２５と軸挿入口２７とに連通して、回動軸となるリベット２８が挿入され、アーム部２１の一端に、Ｕ字状挟持部材２２が回動自在に取り付けられる。
【００２４】
ブロック状挟持部材２３には貫通口３１が形成され、貫通口３１に、固定ネジ２４が螺合される。固定ネジ２４の先端には、滑り止め及び傷止めのために、ラバー部材３３が取り付けられる。また、ブロック状挟持部材２３の上面にはネジ穴３２が穿設される。アーム部２１の他端の孔２６とネジ穴３２とに連通して、ネジ３４が挿入され、アーム部２１の他端に、ブロック状挟持部材２３が回動自在に取り付けられる。
【００２５】
図２に示すように、Ｕ字状挟持部材２２に、カーテンロール１が取り付けられる。ディスプレイ２にカーテンロール１を固定する場合には、Ｕ字状挟持部材２２とブロック状挟持部材２３との間に、ディスプレイ２の上縁を挟持し、そして、固定ネジ２４を締め付ける。
【００２６】
ディスプレイ２の厚さや形状は、各メーカーの機種毎に様々である。本考案の実施の形態では、上述のように、クランプ部１２ａ及び１２ｂは、アーム部２１と、アーム部２１の一端に回動自在に取り付けられたＵ字状挟持部材２２と、アーム部２１の他端に回動自在に取り付けられたブロック状挟持部材２３と、ブロック状挟持部材２３に螺合された固定ネジ２４とから構成され、Ｕ字状挟持部材２２とブロック状挟持部材２３との間に、ディスプレイ２の上縁を挟持し、固定ネジ２４が締め付けて、ディスプレイ２の上縁にカーテンロール１を固定するようにしている。このため、厚さや形状の異なる様々な機種のディスプレイに対応できる。
【００２７】
すなわち、図４（Ａ）は厚みＴが厚いディスプレイ２にカーテンロール１を固定した場合のクランプ部１２ａ、１２ｂの状態を示し、図４（Ｂ）は厚みＴが薄いディスプレイ２にカーテンロール１を固定した場合のクランプ部１２ａ、１２ｂの状態を示している。
【００２８】
本考案の実施の形態では、アーム部２１の長さＬ１は、各種のディスプレイ２の厚みＴよりも十分に長くなるようにしている。このため、厚みＴが厚いディスプレイ２の場合でも、図４（Ａ）に示すように、Ｕ字状挟持部材２２とブロック状挟持部材２３との間に、ディスプレイ２の上縁を挟持することができる。
【００２９】
このように、厚みＴが厚いディスプレイ２に、カーテンロール１を固定した場合には、アーム部２１は、ディスプレイ２の表示面に対してほぼ垂直になる。そして、この場合、固定ネジ２４を締め付けると、Ｕ字状挟持部材２２の接触部２２ａ及び２２ｂがディスプレイ２の上縁の表側２ａに接触し、固定ネジ２４の先端２４ａがディスプレイ２の上縁の裏側２ｂに接触し、Ｕ字状挟持部材２２の接触部２２ａ及び２２ｂと、固定ネジ２４の先端２４ａとの間の挟持力により、ディスプレイ２にカーテンロール１が確実に固定される。
【００３０】
厚みＴが薄いディスプレイ２にカーテンロール１を固定する場合には、図４（Ｂ）に示すように、アーム部２１を斜めにして、Ｕ字状挟持部材２２とブロック状挟持部材２３との間に、ディスプレイ２の上縁を挟持し、固定ネジ２４を締め付ける。アーム部２１を斜めにすれば、Ｕ字状挟持部材２２とブロック状挟持部材２３との距離が近づき、厚みＴが薄いディスプレイ２でも、Ｕ字状挟持部材２２とブロック状挟持部材２３との間に、ディスプレイ２の上縁を挟持できる。
【００３１】
本考案の実施の形態では、図４（Ｂ）に示すように、Ｕ字状挟持部材２２の両端が接触部２２ａ及び２２ｂとなり、接触部２２ａ及び２２ｂは、Ｕ字状挟持部材２２の中心から、それぞれ距離Ｌ２だけ離れた所にある。このため、厚みＴが薄いディスプレイ２にカーテンロール１を固定する場合に、アーム部２１が斜めになっても、取り付け強度が低下しない。
【００３２】
すなわち、アーム部２１が斜めになると、図４（Ｂ）に示したように、Ｕ字状挟持部材２２の一方の接触部２２ａと、固定ネジ２４とが正対する。このため、固定ネジ２４を締め付けると、Ｕ字状挟持部材２２の一方の接触部２２ａと、固定ネジ２４の先端２４ａとで、ディスプレイ２の上縁が挟持する力が働き、ディスプレイ２にカーテンロール１が確実に固定される。
【００３３】
また、本考案の実施の形態では、ディスプレイ２の裏側２ｂからは、固定ネジ２４でカーテンロール１を挟持している。このため、ディスプレイ２の裏側の形状が曲面であっても、ディスプレイ２にカーテンロール１を確実に固定することができる。
【００３４】
つまり、本考案の実施形態では、Ｕ字状挟持部材２２の接触部２２ａ及び２２ｂがディスプレイ２の上縁の表側２ａに接触し、固定ネジ２４の先端がディスプレイ２の上縁の裏側２ｂに接触している。このように、ディスプレイ２の上縁の裏側２ｂには、固定ネジ２４の先端２４ａが点接触している。このような点接触であるため、ディスプレイ２の裏側の形状が曲面であっても、ディスプレイ２にカーテンロール１を確実に固定することができる。
【００３５】
本考案は、上述した実施形態に限定されるものではなく、本考案の要旨を逸脱しない範囲内で様々な変形や応用が可能である。
【産業上の利用可能性】
【００３６】
本考案は、パーソナルコンピュータの他、各種のディスプレイの汚れや塵の侵入を防ぐためのディスプレイ用カーテンとして用いることができる。
【図面の簡単な説明】
【００３７】
【図１】本考案の第１実施形態のディスプレイ用カーテンの全体構成の説明に用いる斜視図である。
【図２】本考案の第１実施形態のディスプレイ用カーテンにおけるクランプ部の説明に用いる斜視図である。
【図３】本考案の第１実施形態のディスプレイ用カーテンにおけるクランプ部の説明に用いる分解斜視図である。
【図４】本考案の第１実施形態のディスプレイ用カーテンにおけるクランプ部の働きの説明図である。
【符号の説明】
【００３８】
１  カーテンロール
２  ディスプレイ
３  表示面
１１  カーテン部材
１２ａ，１２ｂ  クランプ部
２１  アーム部
２２  Ｕ字状挟持部材
２２ａ，２２ｂ  接触部
２３  ブロック状挟持部材
２４  固定ネジ
２８  リベット
２９  ラバー部材２９
３３  ラバー部材
【図１】
0003123342.tif 000003
【図２】
0003123342.tif 000004
【図３】
0003123342.tif 000005
【図４】
0003123342.tif 000006